(57)【要約】【課題】インターネット上で動画をユーザーに提供する際、ユーザーの利便性を向上させるとともに、動画の提供をビジネスにつなげることができる動画抽出システムを提供することである。【解決手段】コンピュータを用いて、ユーザーの端末装置から入力されたキーワードに合致する動画を前記ユーザーの端末装置に提供する動画抽出システムにおいて、前記コンピュータが、前記ユーザーの端末装置から入力されキーワードに合致する動画ファイルを取得する動画ファイル取得手段と、前記動画ファイル取得手段によって取得した複数の動画ファイルを前記端末装置にて連続して自動再生する動画ファイル再生手段とを備えた。【選択図】図５
2009033602.tif 000002
【特許請求の範囲】
【請求項１】
コンピュータを用いて、ユーザーの端末装置から入力されたキーワードに合致する動画を前記ユーザーの端末装置に提供する動画抽出システムにおいて、
前記コンピュータが、前記ユーザーの端末装置から入力されキーワードに合致する動画ファイルを取得する動画ファイル取得手段と、前記動画ファイル取得手段によって取得した複数の動画ファイルを前記端末装置にて連続して自動再生する動画ファイル再生手段とを備えたことを特徴とする動画抽出システム。
【請求項２】
前記動画ファイル再生手段が、前記動画ファイル取得手段にてよって取得した複数の動画ファイルとともに所定の広告動画を前記端末装置にて自動再生することを特徴とする請求項１に記載の動画抽出システム。
【請求項３】
前記所定の広告動画の広告対象が、前記キーワードに関連したものであることを特徴とする請求項２に記載の動画抽出システム。
【発明の詳細な説明】
【技術分野】
【０００１】
本発明は動画抽出システムに関し、詳しくはユーザーが指定したキーワードに該当する動画を自動的に抽出する動画抽出システムに関する。
【背景技術】
【０００２】
最近では、インターネット上にユーチューブ（非特許文献１参照）やヤフー動画（非特許文献２参照）といった動画サービスサイトが開設され、ユーザーに対して様々な動画を提供するサービスが繰り広げられている。
【０００３】
このような従来の動画サービスサイトでは、ユーザーがキーワードを入力して動画ファイルを検索することができるようになっており、検索結果の動画ファイルの概要を示すサムネイルをユーザーに提示し、ユーザーはその提示された中からいずれかのファイルを選択し、その動画を再生して閲覧するようにしていた。
【０００４】
【非特許文献１】動画サービスサイト［youtube（ユーチューブ）］、［online］、YouTube, LLC 、［平成１９年７月９日検索］、インターネット＜URL：http://jp.youtube.com/＞
【非特許文献２】動画サービスサイト［YAHOO!動画（ヤフー動画）］、［online］、ヤフー株式会社 、［平成１９年７月９日検索］、インターネット＜URL：http://streaming.yahoo.co.jp/＞
【発明の開示】
【発明が解決しようとする課題】
【０００５】
ところが、上述のような従来の動画サービスサイトでは、ユーザーは検索結果からいずれかを選択して動画を再生することしかできず、いわば動画を再生するためにはユーザーによる能動的な操作が必要であった。
【０００６】
これに対して、最近のビジネスシーンは多様化しており、ユーザーに動画を提供する際にも様々なビジネスがあることが想像される。
【０００７】
本発明は上記の点にかんがみてなされたもので、インターネット上で動画をユーザーに提供する際、ユーザーの利便性を向上させるとともに、動画の提供をビジネスにつなげることができる動画抽出システムを提供することを目的とする。
【課題を解決するための手段】
【０００８】
本発明は上記の目的を達成するために、コンピュータを用いて、ユーザーの端末装置から入力されたキーワードに合致する動画を前記ユーザーの端末装置に提供する動画抽出システムにおいて、前記コンピュータが、前記ユーザーの端末装置から入力されキーワードに合致する動画ファイルを取得する動画ファイル取得手段と、前記動画ファイル取得手段によって取得した複数の動画ファイルを前記端末装置にて連続して自動再生する動画ファイル再生手段とを備えたことを特徴とする。
【０００９】
また本発明は請求項１に記載の発明において、前記動画ファイル再生手段が、前記動画ファイル取得手段にてよって取得した複数の動画ファイルとともに所定の広告動画を前記端末装置にて自動再生することを特徴とする。
【００１０】
また本発明は請求項２に記載の発明において、前記所定の広告動画の広告対象が、前記キーワードに関連したものであることを特徴とする。
【発明の効果】
【００１１】
本発明によれば、インターネット上で動画をユーザーに提供する際、ユーザーの利便性を向上させるとともに、動画の提供をビジネスにつなげることができる動画抽出システムを提供することができる。
【００１２】
すなわち、本発明によれば、ユーザーが指定したキーワードに関連する動画ファイルを自動で抽出し、連続して再生することによって、ユーザーの利便性を向上することができる。
【００１３】
また、本発明では、動画再生時に、ある動画ファイルの再生後であって次の動画ファイルの再生前に、あらかじめ広告依頼を受けて登録してある広告用動画を再生することもできる。このように動画の合間に広告を挟むことによって広告機会が得られ、動画抽出サイトの運営者が広告主から広告収入を得ることができる。
【００１４】
また、広告動画等の広告対象商品等としては、ユーザーが入力したキーワードに関連したものを選択することによって、そのユーザーに適した広告を行うことができ、広告効果の向上が望める。
【発明を実施するための最良の形態】
【００１５】
以下、本発明による実施の形態について図面を参照して説明する。
【００１６】
図１は、本発明による動画抽出システムの一実施の形態の構成を示すブロック図である。
【００１７】
本実施の形態の動画抽出システムは、ユーザーが端末装置を操作してインターネットに接続し、動画抽出サイトにアクセスして利用される。
【００１８】
図１に示すように、本実施の形態の動画抽出システムは、サーバーコンピュータ１、２、３、４と、端末装置としてのパソコン６、７とを有し、サーバーコンピュータ１、２、３、４と、パソコン６、７とをネットワーク５で接続して構成される。
【００１９】
なお、本実施の形態では、ユーチューブやヤフー動画といった個別の動画サービスサイトのそれぞれが別個にサーバーコンピュータ１、２、３にて動作し、動画抽出サイトがサーバーコンピュータ４にて動作し、これに対して図１のようなネットワーク構成を採用してパソコン６、７から各サイトにアクセスするようにしている。
【００２０】
図１において、ネットワーク５はたとえばインターネットであり、このインターネットに各装置がアクセスするためのネットワークとしては、たとえばイーサネット（登録商標）やトークンリング等のＬＡＮやそのほかインターネットなど、また有線、無線を問わず、また通信プロトコルも問わず、どのようなネットワークでもかまわない。ネットワーク５に接続された各装置のそれぞれには、予めネットワーク上のアドレスが設定されており、各装置はこのアドレスによって識別され、ネットワーク５に接続された他の装置との通信を行う。
【００２１】
図２は、図１に示したサーバーコンピュータ１の構成を示すブロック図である。
【００２２】
図１に示したサーバーコンピュータ１、２および３は、ハードウェアに関わる基本構成は同様であるので、ここでは代表してサーバーコンピュータ１について説明する。
【００２３】
サーバーコンピュータ１は、図１に示したネットワーク５とのインタフェースであるネットワーク接続手段１４と、サーバーコンピュータ１全体の動作を制御するＣＰＵやＭＰＵなどの制御手段１１と、操作者がサーバーコンピュータ１に対する操作、指示等を入力したり、サーバーコンピュータ１が操作者に対して様々な情報を表示したり出力する入出力手段１２と、サーバーコンピュータ１の動作に必要なプログラムおよびパラメータ等を記憶する記憶手段１３とを有して構成される。入出力手段１２としては、たとえば、入力のためにキーボードやマウス等が用いられ、出力のためにディスプレイ装置等が用いられる。
【００２４】
図３は、図１に示したサーバーコンピュータ４の構成を示すブロック図である。
【００２５】
サーバーコンピュータ４は、図１に示したネットワーク５とのインタフェースであるネットワーク接続手段４４と、サーバーコンピュータ４全体の動作を制御するＣＰＵやＭＰＵなどの制御手段４１と、操作者がサーバーコンピュータ４に対する操作、指示等を入力したり、サーバーコンピュータ４が操作者に対して様々な情報を表示したり出力する入出力手段４２と、サーバーコンピュータ４の動作に必要なプログラムおよびパラメータ等を記憶する記憶手段４３とを有して構成される。入出力手段４２としては、たとえば、入力のためにキーボードやマウス等が用いられ、出力のためにディスプレイ装置等が用いられる。
【００２６】
図４は、図１に示したパソコン６の構成を示すブロック図である。
【００２７】
図１に示したパソコン６および７は、本実施の形態に関わる基本構成は同様であるので、ここでは代表してパソコン６について説明する。
【００２８】
パソコン６は、図１に示したネットワーク５とのインタフェースであるネットワーク接続手段６４と、パソコン６全体の動作を制御するＣＰＵやＭＰＵなどの制御手段６１と、ユーザーがパソコン６に対する操作、指示等を入力したり、パソコン６がユーザーに対して様々な情報を表示したり出力する入出力手段６２と、パソコン６の動作に必要なプログラムおよびパラメータ等を記憶する記憶手段６３とを有して構成される。入出力手段６２としては、たとえば、入力のためにキーボードやマウス等が用いられ、出力のためにディスプレイ装置等が用いられる。
【００２９】
次に、本実施の形態の動画抽出システムの動作について説明する。
【００３０】
本実施の形態の動画抽出システムによれば、ユーザーは、パソコン６や７を用いて動画抽出サイトすなわちサーバーコンピュータ４にアクセスし、動画抽出システムのサービスの提供を受ける。
【００３１】
図５は、図１に示した動画抽出システムの動作を説明するブロック図である。
【００３２】
また、図６は、図１に示した動画抽出システムの動作を説明するフローチャートを示す図である。
【００３３】
図５に示すように、本実施の形態の動画抽出システムでは、動画抽出サイトであるサーバーコンピュータ４（以下、動画抽出サイト４ともいう）が、パソコン６からのキーワードに合致する動画ファイルを動画サービスサイトであるサーバーコンピュータ１、２および３（以下、動画サービスサイト１、動画サービスサイト２、動画サービスサイト３ともいう）から収集し、パソコン６を操作するユーザーに対して提供する。
【００３４】
図６を参照しながらさらに詳しく説明する。
【００３５】
図６のフローチャートは基本的に動画抽出サイト４の動作を示すものである。
【００３６】
ユーザーはパソコン６を操作し、たとえばブラウザなどによって、インターネットに接続し、動画抽出サイト４にアクセスする（ネットワーク５を介した接続）。その後、ユーザーはパソコン６を操作し、自分が興味のあるキーワードを動画抽出サイト４に対して送信する。
【００３７】
動画抽出サイト４では、ユーザーからのキーワードを受信し（Ａ−１）、予め登録してある動画サービスサイト１、動画サービスサイト２および動画サービスサイト３に対してインターネットを介してアクセスし（ネットワーク５を介した接続）、各動画サービスサイトのそれぞれからキーワードに合致する動画ファイルを取得する（Ａ−２）。
【００３８】
なお、動画ファイルとその動画ファイルが関連するキーワードとはあらかじめ対応付けられて各動画サービスサイトに登録されている。
【００３９】
この動画ファイルの取得には、たとえば、所定のＡＰＩ（Application
Program Interface）を用いて、ＧｅｔＦｉｌｅＬｉｓｔといった関数を利用することができる。
【００４０】
ここでは、図５に示すように、キーワードに合致する動画ファイルとして、動画サービスサイト１からは動画ファイル１０ａが得られ、動画サービスサイト２からは動画ファイル２０ａが得られ、動画サービスサイト３からは動画ファイル３０ａが得られたものとする。ファイル形式は、どのようなものであってもよく、たとえばＭＰＥＧ、ＦＬＶ、ＡＶＩ、ＤＩＶＸ、ＷＭＶなどに対応することができる。
【００４１】
続いて、動画抽出サイト４では、取得した動画ファイルを順々にインターネットを介してパソコン６に送信し、パソコン６にて順々に連続して自動再生する（Ａ−３）。このパソコン３には動画再生アプリケーションが、あらかじめ、たとえばブラウザのプラグインとしてインストールされている。
【００４２】
このように、ユーザーが指定したキーワードに関連する動画ファイルを自動で抽出し、連続して再生することによって、ユーザーの利便性を向上することができる。
【００４３】
なお、本発明では、ステップ（Ａ−３）において動画再生時に、ある動画ファイルの再生後であって次の動画ファイルの再生前に、あらかじめ広告依頼を受けて登録してある広告用動画を再生することもできる。このように動画の合間に広告を挟むことによって広告機会が得られ、動画抽出サイト４の運営者が広告主から広告収入を得ることができる。
【００４４】
広告動画を流すタイミングは、キーワードに合致した動画ファイルどうしの合間に限らず、動画ファイルを再生中に中断して広告動画を再生するタイミングでもよいし、すべての動画ファイルの再生前でもよいし、すべての動画ファイルの再生後でもよいし、またユーザーが広告動画を見たくなるような仕組みを組み込んでもよい。
【００４５】
また、広告する商品等としては、ユーザーが入力したキーワードに関連したものを選択することによって、そのユーザーに適した広告を行うことができ、広告効果の向上が望める。
【００４６】
また、広告の仕方としては、広告動画を再生するもののほかに、広告静止画を表示するものであってもよいし、音声のみで広告を行うものであってもよいし、これらの組合せであってもよい。
【図面の簡単な説明】
【００４７】
【図１】本発明による動画抽出システムの一実施の形態の構成を示すブロック図である。
【図２】図１に示したサーバーコンピュータ１の構成を示すブロック図である。
【図３】図１に示したサーバーコンピュータ４の構成を示すブロック図である。
【図４】図１に示したパソコン６の構成を示すブロック図である。
【図５】図１に示した動画抽出システムの動作を説明するブロック図である。
【図６】図１に示した動画抽出システムの動作を説明するフローチャートを示す図である。
【符号の説明】
【００４８】
１、２、３  サーバーコンピュータ（動画サービスサイト）
４  サーバーコンピュータ（動画抽出サイト）
５  ネットワーク
６、７  パソコン（端末装置）
１１  制御手段
１２  入出力手段
１３  記憶手段
１４  ネットワーク接続手段
４１  制御手段
４２  入出力手段
４３  記憶手段
４４  ネットワーク接続手段
６１  制御手段
６２  入出力手段
６３  記憶手段
６４  ネットワーク接続手段
【図１】
2009033602.tif 000003
【図２】
2009033602.tif 000004
【図３】
2009033602.tif 000005
【図４】
2009033602.tif 000006
【図５】
2009033602.tif 000007
【図６】
2009033602.tif 000008